(57)【要約】  【課題】遊技球を島構造体側から貯留タンクに供給する際、放射ノイズや静電気（ノイズ）が発生するのを抑制し、更には静電気を除去することにより、そのノイズが遊技に関連する制御を司る制御装置に悪影響を及ぼすことを極力防止できるようにした弾球遊技機を提供する。  【解決手段】貯留タンク３３の導入口５６に入る遊技球Ｂが接触する可撓性の球受け部材６０を設けた。この球受け部材６０は、導入口５６を覆い且つ複数の分断状の球接触部６３からなるカバー部６２を有し、また、この球受け部材６０は導電性ゴムで構成され、アース線を介して接地されている。【選択図】  図６
2006095339.tif 000002
【特許請求の範囲】
【請求項１】
島構造体(1) に設置される弾球遊技機であって、島構造体(1) 側から供給される遊技球(B) を貯留する貯留タンク(33)を備えた弾球遊技機において、
前記島構造体(1) から遊技球(B) を導入する貯留タンク(33)の導入口(56)に、この導入口(56)に入る遊技球(B) が接触する可撓性の球受け部材(60,60A,60B,60C)を設けたことを特徴とする弾球遊技機。
【発明の詳細な説明】
【技術分野】
【０００１】
本発明は弾球遊技機に関し、特に、遊技球を貯留する貯留タンクに可撓性の球受け部材を付設した弾球遊技機に関する。
【背景技術】
【０００２】
従来、遊技ホールの島構造体に設置されるパチンコ機やアレンジボール機（組合せ式弾球遊技機）や雀球機等の弾球遊技機の多くは、遊技球を貯留する貯留タンク、遊技球を払出す払出し手段、貯留タンクの導出口から導出された遊技球を払出し手段へ案内するタンクレールを備えている。
【０００３】
この種の弾球遊技機は、島構造体に複数並べて設置されるが、島構造体の内部には球供給用搬送路が設けられ、各弾球遊技機において、遊技球の払出しが行われると、貯留タンクに貯留されている遊技球も減るため、その都度、前記球供給用搬送路を介して搬送されてきた遊技球が貯留タンクに供給（補給）される（例えば、特許文献１参照）。
【０００４】
ところで、図１１に示すように、従来の弾球遊技機の一般的な貯留タンク100 は、底壁100aと側壁100b〜100eとで箱状に構成され、この貯留タンク100 に、前記球供給用搬送路の球排出端から排出した遊技球を落下させて供給するようになっており、落下する遊技球は、貯留タンク100 の底壁100aや、貯留タンク100 に貯留されている遊技球に直接衝突して受止められることになる。
【０００５】
さて、パチンコ機やアレンジボール機や雀球機等の弾球遊技機には、遊技に関連する制御を司る制御装置が設けられ、その制御装置の誤作動を防止して信頼性を確保するためにも、制御装置に悪影響を及ぼす虞があるノイズ（放射ノイズや静電気ノイズ）の発生を極力抑えるようにする対策が必要である。
【特許文献１】実開平６−２３５７８号公報
【発明の開示】
【発明が解決しようとする課題】
【０００６】
従来の弾球遊技機では、島構造体の球供給用搬送路の球排出端から排出した遊技球を、落下させるようにして貯留タンクに供給するが、落下する遊技球が貯留タンクに貯留されている遊技球や貯留タンクの底壁等に直接衝突すると、その際、放射ノイズや静電気が発生し易く、その放射ノイズや静電気ノイズが弾球遊技機の制御装置に悪影響を及ぼす虞がある。
【０００７】
遊技球の衝突による衝撃が大きい場合、更には、遊技球に帯電している静電気量が大きい場合、前記ノイズが発生し易いというのは周知である。それ故、遊技球に静電気が帯電し続ける状況は好ましくなく、特に、貯留タンクに遊技球を供給する際に放射ノイズが発生しにくくするためにも、遊技球から静電気を除去しておくのが望ましいが、これらの原因を加味したノイズ発生防止対策については、従来殆ど講じられていないのが現状である。
【０００８】
尚、静電気が発生して遊技球が帯電すると、遊技球は貯留タンクや遊技球に衝突するときだけでなく、その他の部材等に衝突するときにも放射ノイズが発生し易くなり、また、この遊技球の帯電は、弾球遊技機の制御装置に悪影響を及ぼす虞がある他に、遊技球が帯電した状態で払出された場合には、その遊技球を触った遊技者が感電するという原因にもなりかねない。
【０００９】
本発明の目的は、遊技球を島構造体側から貯留タンクに供給する際、放射ノイズや静電気（ノイズ）が発生するのを抑制し、更には静電気を除去することにより、そのノイズが遊技に関連する制御を司る制御装置に悪影響を及ぼすことを極力防止できるようにした弾球遊技機を提供することである。
【課題を解決するための手段】
【００１０】
請求項１の弾球遊技機は、島構造体に設置される弾球遊技機であって、島構造体側から供給される遊技球を貯留する貯留タンクを備えた弾球遊技機において、前記島構造体から遊技球を導入する貯留タンクの導入口に、この導入口に入る遊技球が接触する可撓性の球受け部材を設けたことを特徴とするものである。
【００１１】
この弾球遊技機は島構造体に設置されるものであり、島構造体側から供給される遊技球を貯留する貯留タンクを備えている。島構造体側から供給される遊技球は、貯留タンクの導入口からその内部に導入されるが、その導入口には、導入口に入る遊技球が接触する可撓性の球受け部材が設けられている。
【００１２】
つまり、島構造体側から貯留タンクに遊技球を供給する際、貯留タンクの導入口に入る遊技球は、先ず、可撓性の球受け部材に接触するため、その遊技球を可撓性の球受け部材で緩衝するように受止めて、遊技球の運動エネルギーを吸収することができる。つまり、その後、遊技球が貯留タンクに貯留されている遊技球や貯留タンク（底壁等）に衝突しても、その衝撃は小さいものとなるため、放射ノイズや静電気（ノイズ）が発生しにくくなり、弾球遊技機の遊技に関連する制御を司る制御装置に悪影響を及ぼすのを極力防止できるようになる。
【００１３】
ここで、前記の構成に追加して、次のような種々の構成を採用してもよい。
球受け部材は、導入口を覆い且つ複数の分断状の球接触部を有するカバー部を備えた構成（構成Ａ）を採用する場合には、貯留タンクの導入口に入る遊技球を、球受け部材の複数の球接触部を有するカバー部に確実に接触させて緩衝することができ、しかも、カバー部に接触した遊技球を、カバー部の隣合う分断部の間から通過させて、貯留タンク内に確実に導入できるようになる。尚、貯留タンクに貯留されいる遊技球が、導入口から外部へ飛び出すのを防止することもできる。
【００１４】
球受け部材の少なくとも一部は導電性合成樹脂又は導電性ゴムで構成され、アース線を介して接地される構成（構成Ｂ）を採用する場合には、貯留タンクに貯留される遊技球に、貯留前から帯電している静電気や、球受け部材に接触した際に発生する静電気を、導電性合成樹脂又は導電性ゴムで構成された球受け部材の少なくとも一部からアース線を介して外部へ確実に除去でき、これにより、静電気ノイズや放射ノイズが発生しにくくなり、制御装置に悪影響を及ぼすのを極力防止できるようになる。依って、遊技球が帯電した状態で払出され、その遊技球を触った遊技者が感電するという原因の１つを除去することにもなる。
【００１５】
球受け部材は、貯留タンクの導入口に着脱可能に設けられた構成（構成Ｃ）を採用する場合には、貯留タンクや球受け部材のリサイクルの面で有利になる。
【発明の効果】
【００１６】
請求項１の弾球遊技機によれば、島構造体から遊技球を導入する貯留タンクの導入口に可撓性の球受け部材を設けたので、島構造体側から貯留タンクに遊技球を供給する際、貯留タンクの導入口に入る遊技球は、先ず、球受け部材に接触するため、その遊技球を球受け部材で緩衝するように受止めて、遊技球の運動エネルギーを吸収することができ、これにより、遊技球が貯留タンクに貯留されている遊技球や貯留タンクに衝突しても、その衝撃は小さいものとなるため、放射ノイズや静電気（ノイズ）が発生しにくくなり、弾球遊技機の遊技に関連する制御を司る制御装置に悪影響を及ぼすのを極力防止できる。
【００１７】
ここで、前記「課題を解決するための手段」の欄に記載した種々の追加的な構成Ａ〜Ｃから得られる効果について、補足的に説明する。
前記構成Ａによれば、球受け部材は、導入口を覆い且つ複数の分断状の球接触部を有するカバー部を備えたので、貯留タンクの導入口に入る遊技球を、球受け部材の複数の球接触部を有するカバー部に確実に接触させて緩衝し、しかも、カバー部に接触した遊技球を、カバー部の隣合う分断部の間から通過させて、貯留タンク内に確実に導入できるようになる。
【００１８】
前記構成Ｂによれば、球受け部材の少なくとも一部を導電性合成樹脂又は導電性ゴムで構成し、アース線を介して接地したので、貯留タンクに貯留される遊技球に、貯留前から帯電している静電気や、球受け部材に接触した際に発生する静電気を、球受け部材の少なくとも一部からアース線を介して外部へ確実に除去でき、これにより、静電気ノイズや放射ノイズによる制御装置の悪影響を極力防止できるようになる。
【００１９】
前記構成Ｃによれば、、球受け部材を貯留タンクの導入口に着脱可能に設けたので、貯留タンクや球受け部材のリサイクルの面で有利になる。
【発明を実施するための最良の形態】
【００２０】
本発明の弾球遊技機は、島構造体に設置され、島構造体側から供給される遊技球を貯留する貯留タンクを備え、島構造体から遊技球を導入する貯留タンクの導入口に、この導入口に入る遊技球が接触する可撓性の球受け部材を設けたものである。
【実施例】
【００２１】
以下、本発明の実施の形態について図面を参照しながら説明する。本実施形態は、遊技ホールの島構造体に設置されるカード式の弾球遊技機であるＣＲ第１種パチンコ機に、本発明を適用した場合の一例である。
【００２２】
図１〜図３に示すように、遊技ホールに構築された島構造体１には、その長さ方向に複数のパチンコ機２が配設され、各パチンコ機２の左側にカード式貸出し装置１ａが配設され、各カード式貸出し装置１ａは右側のパチンコ機２に電気的に接続されている。
【００２３】
パチンコ機２は、矩形枠状の外枠３と、外枠３に開閉自在に枢着された前枠４とを有し、外枠３が島構造体１に着脱自在に装着されている。前枠４には遊技盤５が裏側から着脱自在に装着され、遊技盤５の前側に窓部６ａを有するガラス扉６と、上皿８を取付けた前面板７が夫々開閉自在に枢着されている。
【００２４】
前面板７の下側において前枠４の下部に、上皿８から溢流し又は抜き取った遊技球Ｂを貯留する下皿９が固定的に設けられ、この下皿９の右側に発射手段１０の発射ハンドル１１が取付けられている。発射手段１０は、回動操作可能な発射ハンドル１１と、この発射ハンドル１１の回動角度に応じた打撃力で打撃槌１２により遊技球Ｂを発射させる発射モータ１３などを備えている。
【００２５】
上皿８の前面部の右部には操作パネル１４が設けられ、この操作パネル１４に、カード式貸出し装置１ａに挿入されている球貸カード（図示略）の度数残高を最大３桁の数字で表示可能な残高表示部１４ａと、カード式貸出し装置１ａに所定度数分の遊技球Ｂの貸出しを指令する為に操作する貸出スイッチ１４ｂと、カード式貸出し装置１ａに挿入されている球貸カードの返却を指令する為に操作する返却スイッチ１４ｃとが設けられている。
【００２６】
図４に示すように、遊技盤５には外レールと内レールとからなるガイドレール１５がほぼ環状に設けられ、ガイドレール１５の内側に遊技領域５ａが形成され、発射手段１０により発射された遊技球Ｂはガイドレール１５にガイドされて遊技領域５ａの上部に投入される。
【００２７】
この遊技領域５ａには、多数の障害釘や複数の風車等の他に、液晶ディスプレイ（ＬＣＤ）からなる特別図柄表示手段１６、セグメント型発光ダイオードディスプレイ（ＬＥＤ）からなる普通図柄表示手段１７、複数の入賞手段１８、開閉式の入賞手段からなる特別図柄始動手段１９、開閉式の特別入賞手段２０、ゲート型の普通図柄始動手段２１等が、夫々所定の位置に配設されている。
【００２８】
特別図柄表示手段１６は、左右に並ぶ３つの特別図柄表示部１６ａ〜１６ｃを有し、特別図柄始動手段１９による遊技球Ｂの検出を条件に、特別図柄表示部１６ａ〜１６ｃに夫々複数の特別図柄（例えば、「０」〜「９」）を変動させて停止させるように表示するとともに、この特別図柄表示手段１６には、背景画面や特別図柄の変動を演出するキャラクタ等を表示可能になっている。
【００２９】
普通図柄表示手段１７は、前記の通りセグメント型ＬＥＤからなり、普通図柄始動手段２１による遊技球Ｂの検出を条件に、複数の普通図柄（例えば、「０」〜「９」）を変動させて停止させるように表示する。
【００３０】
特別図柄始動手段１９は、左右１対の開閉爪１９ａを有する電動チューリップに構成され、開閉爪１９ａが閉じると特別図柄始動手段１９に遊技球Ｂが入賞しにくくなり、開閉爪１９ａが開くと特別図柄始動手段１９に遊技球Ｂが入賞し易くなる。通常、開閉爪１９ａは閉じた状態に保持され、普通図柄表示手段１７に表示される普通図柄の変動後の停止図柄が当り図柄（例えば、「７」）になった場合に、開閉爪１９ａが所定時間（例えば、0.2 秒）だけ開放される。
【００３１】
特別入賞手段２０は開閉板２０ａを有し、この開閉板２０ａが閉じた状態では、特別入賞手段２０に遊技球Ｂが入賞することはないが、開閉板２０ａが前側に開いた状態では、特別入賞手段２０に遊技球Ｂがかなり入賞し易くなる。
【００３２】
通常、開閉板２０ａは閉じた状態に保持され、特別図柄表示手段１６に表示される特別図柄の変動後の停止図柄態様が、予め設定された複数種類の特別態様（例えば、「０００」〜「９９９」）の何れかになった場合に、遊技者に有利な特別遊技となり、以降、所定の終了条件が成立する迄の間、開閉板２０ａが開閉動作して、特別入賞手段２０には多数の遊技球Ｂが入賞することになる。
【００３３】
図２、図３に示すように、前枠４の裏側には、遊技盤５を裏側から押える裏機構板３０が着脱自在に装着され、この裏機構板３０の上側に、本願特有の貯留タンク３３と、タンクレール３４とが設けられ、このタンクレール３４の右端部下側に払出し手段３５が設けられている。
【００３４】
貯留タンク３３には島構造体１側から供給される遊技球Ｂが貯留され、この貯留タンク３３の導出口５７から導出された遊技球Ｂが、タンクレール３４により払出し手段３５へ案内される。つまり、タンクレール３４は、その右端部を貯留タンク３３の導出口５７の下側に位置させて、導出口５７から導出される遊技球Ｂを受止め可能にするとともに、左端部を払出し手段３５の上端部分に接続した状態で、左斜め下側へ傾斜した姿勢で配設されている。
【００３５】
払出し手段３５は、入賞手段１８〜２０への遊技球Ｂの入賞により、その入賞球数の数倍又は１０数倍の遊技球Ｂを賞球として払出すが、それら賞球は、払出し手段３５の下端部分に接続された通路ユニット３６を経由して上皿８に払出され、上皿８が遊技球Ｂで満杯の場合には下皿９に払出される。尚、貯留タンク３３については後で詳述する。
【００３６】
さて、裏機構板３０には開口部３０ａ形成され、その開口部３０ａに、遊技盤５の裏側に装着された裏カバー３７と、入賞手段１８〜２０に入賞した遊技球Ｂを排出する入賞球排出樋（図示略）が夫々嵌合されている。この裏カバー３７に装着されたケース３８の内部に主制御基板３９が設けられ、その前側に表示制御基板４０が設けられている。
【００３７】
主制御基板３９の下側において裏カバー３７に装着されたケース４１ａの内部にランプ制御基板４２が設けられ、このケース４１ａに右側のケース４１ｂの内部にサウンド制御基板４３が設けられている。ケース４１ａ，４１ｂの下側において裏機構板３０に装着されたケース４４の内部に、電源基板４５と払出し制御基板４６が夫々設けられ、発射手段１０の後側に装着されたケース４７の内部に発射制御基板４８が設けられている。
【００３８】
このように、これら基板３９，４０，４２，４３，４５，４６，４８は夫々別基板で構成されており、電源基板４５を除く制御基板３９，４０，４２，４３，４６，４８には、ＣＰＵとＲＯＭやＲＡＭ等を有するマイクロコンピュータが夫々設けられ、これら制御基板３９，４０，４２，４３，４６，４８が、このパチンコ機２の遊技に関連する制御を司る制御装置を構成している。
【００３９】
尚、主制御基板３９とその他の制御基板４０，４２，４３，４６とは、複数本の信号線を介して電気的に接続され、主制御基板３９から各制御基板４０，４２，４３，４６に、所定の遊技動作を実行させる為の種々の制御信号として、制御情報を簡略化して送信可能なコマンド信号を、一方向通信にてデータ送信するように構成されている。
【００４０】
ここで、前記貯留タンク３３について詳細に説明する。
図５〜図７に示すように、貯留タンク３３は、底壁５０と側壁５１〜５４とを有し、これら５０〜５４を合成樹脂で一体成形して上方を開放した箱状に構成され、複数のビス５８等により裏機構板３０の上部に固定的に取付けられている。
【００４１】
貯留タンク３３の上端部側が、島構造体１から落下する遊技球Ｂを貯留タンク３３内に導入する平面視矩形の導入口５６に形成され、この導入口５６に、導入口５６に入る遊技球Ｂが接触する可撓性の球受け部材６０が着脱可能に設けられている。底壁５０は右斜め下側へ穏やかに傾斜し、その底壁５０の右端部分に、貯留タンク３３に貯留されている遊技球Ｂを導出する平面視矩形の導出口５７が形成されている。尚、導入口５６からは角筒状の金属製の延設部が下方へ延びている。
【００４２】
本実施形態の場合、側壁５２〜５４の上端面は連続する水平面となっており、側壁５１の上端面は側壁５２〜５４の上端面よりも高く、その側壁５１には、内側へ少し張出し且つ側壁５２〜５４の上面と同じ高さの水平な上面を有する張出部５１ａが設けられている。そして、前記球受け部材６０は、その外枠部６１を側壁５２〜５４の上面と側壁５１の張出部５１ａの上面に当接状に固着して取付けられている。
【００４３】
球受け部材６０は導電性ゴムで構成され、左右方向に長い矩形枠状の外枠部６１と、外枠部６１の内側に設けられて導入口５６を覆うカバー部６２とを有し、外枠部６１にアース線６５を接続し、そのアース線６５を介して接地されている。外枠部６１は、前述のように、側壁５２〜５４の上面と張出部５１ａの上面に当接状に固着し得る形状であって、導入口５６側にあまり張出さないようにして、その内側のカバー部６２を片持ち状に支持可能な形状に構成されている。
【００４４】
カバー部６２は、外枠部６１から内側へ張り出す複数の分断状の球接触部６３を有する。これら複数の球接触部６３は、カバー部６２の長手方向の略中央に位置する分断穴６２ａと、その分断穴６２ａから放射状に外側（外枠部６１側）へ延びる複数の分断溝６２ｂにより分断されている。各球接触部６３は、外枠部６１の上下方向厚さよりも薄く、しかも分断穴６２ａ（中心）側程薄くなっており、外力が作用しない状態では略水平姿勢に保持され、遊技球Ｂが上側から接触して外力が作用した場合に、下方へ湾曲状に弾性変形し得るように構成してある。
【００４５】
このパチンコ機２の作用・効果について説明する。
上皿８に遊技球Ｂが収容された状態で、遊技者が発射ハンドル１１を握り回動操作すると、発射手段１０により例えば１分間に100 個の割合で遊技球Ｂが連続的に発射され、ガイドレール１５に誘導されて遊技領域５ａに投入される。
【００４６】
遊技領域５ａに投入された遊技球Ｂは、障害釘や風車等に当たって方向を変えながら落下し、その遊技球Ｂが入賞手段１８〜２０に入賞すると、払出し手段３５が作動し、入賞球数の数倍又は10数倍の遊技球Ｂが賞球として上皿８に払出され、上皿８が遊技球Ｂで満杯の場合には下皿９に払出される。
【００４７】
尚、特別図柄始動手段１９による遊技球Ｂの検出を条件に、特別図柄表示手段１６に特別図柄が変動表示され、その特別図柄の変動後の停止態様が特別態様（「７７７」等）になった場合には、遊技者に有利な特別遊技となり、以降、所定の終了条件が成立する迄の間、開閉板２０ａが開閉動作して特別入賞手段２０には多数の遊技球Ｂが入賞するため、多数の賞球の払出しが一挙に行われる。
【００４８】
さて、島構造体１の内部には球供給用搬送路が設けられ、この球供給用搬送路を介して搬送されてきた遊技球Ｂが貯留タンク３３に供給されて貯留され、貯留タンク３３の導出口５７から導出された遊技球Ｂが、タンクレール３４に案内されて払出し手段３５に導入される。払出し手段３５により遊技球Ｂの払出しが行われると、貯留タンク３３に貯留されている遊技球Ｂも減るため、その都度、前記球供給用搬送路を介して搬送されてきた遊技球Ｂが、貯留タンク３３に供給（補給）されるようになっている。
【００４９】
島構造体１側から貯留タンク３３に遊技球Ｂを供給する際、遊技球Ｂは球供給用搬送路の球排出端から排出されて落下し、その落下する遊技球Ｂは、先ず、球受け部材６０のカバー部６２に接触し、そのカバー部６２の球接触部６３の弾性変形を介して緩衝されるように受止められる。そこで、遊技球Ｂの運動エネルギーが吸収されるため、その後、遊技球Ｂが隣合う球接触部６３の間を通って貯留タンク３３内に導入されるが、その遊技球Ｂが、貯留タンク３３に貯留されている遊技球Ｂや貯留タンク３３（例えば、底壁５０）に衝突しても、その衝撃は小さいものとなる。
【００５０】
また、島構造体１側から貯留タンク３３に供給される遊技球Ｂが、導電性ゴムからなる球受け部材６０に接触することにより、その遊技球Ｂに、既に帯電している静電気や、球受け部材６０に接触した際に発生する静電気を、球受け部材６０からアース線６５を介して外部へ除去することができる。
【００５１】
このように、球受け部材６０を設けたことにより、島構造体１側から貯留タンク３３に供給される遊技球Ｂが、貯留タンク３３に貯留されている遊技球Ｂや貯留タンク３３に衝突する際の衝撃を小さくし、しかも、その遊技球Ｂに帯電する静電気を外部へ除去できるため、放射ノイズや静電気（ノイズ）が発生しにくくなり、パチンコ機２の遊技に関連する制御を司る制御装置に悪影響を及ぼすことを極力防止できるようになる。また、遊技球Ｂが帯電した状態で払出され、その遊技球Ｂを触った遊技者が感電するという原因の１つを除去することにもなる。
【００５２】
しかも、球受け部材６０は、導入口５６を覆い且つ複数の分断状の球接触部６３を有するカバー部６２を備えたので、導入口５６に入る遊技球Ｂを、複数の球接触部６３を有するカバー部６２に確実に接触させて緩衝し、しかも、カバー部６２に接触した遊技球Ｂを、カバー部６２の隣合う球接触部６３の間から通過させて、貯留タンク３３内に確実に導入できるようになる。また、この球受け部材６０を設けたことにより、貯留タンク３３に貯留されいる遊技球Ｂが、導入口５６から外部へ飛び出すのを防止することもできる。また、球受け部材６０を、貯留タンク３３の導入口５６に着脱可能に設けたので、貯留タンク３３や球受け部材６０のリサイクルの面で有利になる。
【００５３】
次に、前記実施形態を部分的に変更した変更形態について説明する。但し、前記実施形態と基本的に同じものには同一符号を付して説明する。
１〕前記実施形態では、球受け部材６０は、導入口５６の略全てを覆う複数の球接触部６３を有するカバー部６２を備えたものであるが、この球受け部材６０の代わりに、図８に示すように、導入口５６の略半分を覆い且つ複数の球接触部６３Ａを有するカバー部６２Ａを備えた球受け部材６０Ａとしてもよい。
【００５４】
２〕図９の球受け部材６０Ｂにおいては、カバー部６２Ｂは複数の分断状の球接触部６３Ｂを有するが、これら複数の球接触部６３Ｂは、カバー部６２Ｂの長手方向の略中央に位置する分断穴６２ａと、その分断穴６２ａから放射状に外側（外枠部６１側）へ延び且つ前記実施形態のものよりも短い複数の分断溝６２ｃにより分断されている。
【００５５】
３〕図１０の球受け部材６０Ｃにおいては、カバー部６２Ｃは複数の分断状の球接触部６３Ｃを有するが、これら複数の球接触部６３Ｃは、カバー部６２Ｃの長手方向に略等間隔で位置する複数の分断穴６２ｄと、これら分断穴６２ｄから延びる左右方向と前後方向に向く複数の分断溝６２ｅにより分断されている。
【００５６】
４〕その他、導入口５６に入る遊技球Ｂが接触する可撓性の球受け部材として、球受け部材で少なくとも落下する遊技球Ｂを接触させて受け止め可能であれば、左右方向幅や前後方向幅等を変更した種々の球受け部材を勿論適用可能である。５〕複数の分断状の球接触部については、例えば図１０のように帯状などの種々の形状や数とすることも可能であるし、球接触部を形成しないようにしたカバー部を有する球受け部材とすることも可能である。この場合、例えは、その球受け部材を傾斜状に配設し、その球受け部材で受け止めた遊技球Ｂを貯留タンク３３内へ誘導するようにしてもよい。
【００５７】
６〕球受け部材は複数のカバー部を備えた構造にしてもよいし、例えば図１０の球受け部材６０Ｃのように、複数の分断穴を備えてもよい。
７〕球受け部材を導電性ゴム以外に導電性合成樹脂で一定的に構成してもよし、球受け部材をの少なくとも一部（具体的には、島構造体１側から供給される遊技球Ｂが接触する部分）だけを導電性合成樹脂や導電性ゴムで構成してもよい。
【００５８】
８〕球受け部材を導電性ゴム以外に導電性合成樹脂で構成してもよい。
９〕その他、本発明の趣旨を逸脱しない範囲において、前記実施形態や変更形態に種々の変更を付加して実施することが勿論可能であるし、前記パチンコ機以外の種々のパチンコ機、更には、パチンコ機以外のアレンジボール機（組合せ式弾球遊技機）や雀球機等の種々の弾球遊技機に本発明を勿論適用可能である。
【図面の簡単な説明】
【００５９】
【図１】本発明の実施形態に係るパチンコ機の斜視図である。
【図２】パチンコ機の側面図である。
【図３】パチンコ機の背面図である。
【図４】パチンコ機の遊技盤の正面図である。
【図５】貯留タンクとタンクレールの上部の背面図である。
【図６】貯留タンクの斜視図である。
【図７】図６のVII −VII 線断面図である。
【図８】変更形態に係る貯留タンクの斜視図である。
【図９】変更形態に係る貯留タンクの斜視図である。
【図１０】変更形態に係る球受け部材の斜視図である。
【図１１】従来技術に係る貯留タンクの斜視図である。
【符号の説明】
【００６０】
Ｂ            遊技球
１            島構造体
２            パチンコ機
３３          貯留タンク
５６          導入口
６０，６０Ａ〜６３Ｃ  球受け部材
６２，６２Ａ〜６２Ｃ  カバー部
６３，６３Ａ〜６３Ｃ  球接触部
６５          アース線
【図１】
2006095339.tif 000003
【図２】
2006095339.tif 000004
【図３】
2006095339.tif 000005
【図４】
2006095339.tif 000006
【図５】
2006095339.tif 000007
【図６】
2006095339.tif 000008
【図７】
2006095339.tif 000009
【図８】
2006095339.tif 000010
【図９】
2006095339.tif 000011
【図１０】
2006095339.tif 000012
【図１１】
2006095339.tif 000013